(57)【要約】      （修正有）【課題】液晶表示装置用ゲートドライバに係り、多数のシフトレジスタを備えたゲートドライバで一シフトレジスタの不良時に、これを効率的に修理する構造のゲートドライバ及びその修理方法を提供する。【解決手段】ゲートドライバはｎ個のシフトレジスタＳＲ１〜ＳＲｎと余分の修理用シフトレジスタＳＲ(ｒ)を含む。ここで、ｎは、正の整数である。余分の修理用シフトレジスタＳＲ(ｒ)は、(ｎ+１)番目の位置に配列する。また、各シフトレジスタＳＲ１〜ＳＲｎ、ＳＲ(ｒ)のクロック信号端子ＣＬＫでクロック信号ＣＬＫ１、ＣＬＫ２を供給するための多数のクロック信号配線ＣＬを含んで構成する。【選択図】図７
2010015125.tif 000002
【特許請求の範囲】
【請求項１】
第１番目ないし第ｎ番目のゲート配線と、多数の薄膜トランジスタと多数の液晶画素を含む液晶表示装置でのゲートドライバとして、第１及び第２クロック信号を印加する第１及び第２クロック信号配線と、
前記第１番目ないし第ｎ番目のゲート配線に各々対応して、各々には、前記第１及び第２クロック信号のいずれかの一つが入力されて第１番目ないし第ｎ番目のスキャン信号を出力する第１番目ないし第ｎ番目のシフトレジスタと、  (ｎ＋１)番目のシフトレジスタとして、前記第１ないし第２クロック信号のいずれかの一つが入力されて修理用スキャン信号を出力する修理用シフトレジスタと、
各々が前記第１及び第２クロック信号配線のいずれかの一つと前記第１番目ないし第ｎ番目のシフトレジスタと前記修理用シフトレジスタのいずれかの一つを連結する多数の第１スイッチと、
前記第１番目ないし第ｎ番目のシフトレジスタと前記第１番目ないし第ｎ番目のゲート配線の連結をスイッチングする多数の第２スイッチと、
前記第２番目ないし第ｎ番目のシフトレジスタ及び前記修理用シフトレジスタと前記第１番目ないし第ｎ番目のゲート配線との連結をスイッチングする多数の第３スイッチとを含み、ｎは、正の整数であることを特徴とする液晶表示装置用ゲートドライバ。
【請求項２】
前記修理用シフトレジスタは、前記第１番目ないし第ｎ番目のシフトレジスタと同一な構成であることを特徴とする請求項１に記載の液晶表示装置用ゲートドライバ。
【請求項３】
前記第１番目ないし第ｎ番目のシフトレジスタは、相互に従属連結されて、前記第ｎ番目のシフトレジスタは、前記修理用シフトレジスタと従属連結されることを特徴とする請求項１に記載の液晶表示装置用ゲートドライバ。
【請求項４】
前記第２番目ないし第ｎ番目のシフトレジスタと前記修理用シフトレジスタ各々には、スタート信号として、前記第１番目ないし第ｎ番目のスキャン信号が入力されて、前記第１番目ないし第ｎ番目のシフトレジスタ各々には、リセット信号として、前記第２番目ないし第ｎ番目のスキャン信号が入力されることを特徴とする請求項３に記載の液晶表示装置用ゲートドライバ。
【請求項５】
前記第１番目のシフトレジスタにスタート信号を印加するためのスタート信号生成手段と、前記修理用シフトレジスタにリセット信号を印加するためのリセット信号生成手段をさらに含むことを特徴とする請求項１に記載の液晶表示装置用ゲートドライバ。
【請求項６】
前記多数の第１スイッチは、メタル‐オキサイド半導体(metaloxide semiconductor)ＭＯＳ回路スイッチであることを特徴とする請求項１に記載の液晶表示装置用ゲートドライバ。
【請求項７】
前記多数の第２スイッチ及び前記多数の第３スイッチ各々は、薄膜トランジスタスイッチであることを特徴とする請求項１に記載の液晶表示装置用ゲートドライバ。
【請求項８】
前記各シフトレジスタと前記各スイッチは、前記液晶画素と同一基板上に形成されることを特徴とする請求項１に記載の液晶表示装置用ゲートドライバ。
【請求項９】
第１及び第２クロック信号を印加する第１及び第２クロック信号配線と、各々第１番目ないし第ｎ番目のゲート配線に第１番目ないし第ｎ番目のスキャン信号を提供する第１番目ないし第ｎ番目のシフトレジスタと修理用シフトレジスタであって、損傷されたシフトレジスタを修理して修理用修理用ゲート配線に修理用信号を印加する(ｎ＋１)番目のシフトレジスタとしての修理用シフトレジスタと、
各々が前記第１及び第２クロック信号配線のいずれかの一つと前記第１番目ないし第ｎ番目のシフトレジスタのクロック信号ターミナルのいずれかの一つを連結する多数の第１スイッチと、
各々が前記第１番目ないし第ｎ番目のシフトレジスタの出力配線と前記第１番目ないし第ｎ番目のゲート配線を連結するための多数の第２スイッチと、  
各々が前記第２番目ないし第(ｎ＋１)番目のフトレジスタの出力配線と前記第１番目ないし第ｎ番目のゲート配線を連結するための多数の第３スイッチと、
前記第２番目ないし第(ｎ＋１)番目のシフトレジスタのスタート信号ターミナルと前記第１番目ないし第ｎ番目のシフトレジスタの出力配線を連結するスタート信号配線と前記第１番目ないし第ｎ番目のシフトレジスタのリセットターミナルと前記第２番目ないし第(ｎ＋１)番目のシフトレジスタの出力配線を連結するリセット信号配線とを含む液晶表示装置用ゲートドライバの修理方法として、前記第ｍ番目のシフトレジスタの損傷を検査する段階と、
前記第ｍ番目のシフトレジスタに印加される入力クロック信号を遮断するために、前記第ｍ番目のシフトレジスタの前記第１スイッチをスイッチングオフさせる段階と、
前記第ｍ番目のシフトレジスタの前記スタート信号配線と前記リセット信号配線を遮断する段階と、
前記第ｍ番目ないし第ｎ番目のシフトレジスタで前記第ｍ番目ないし前記第ｎ番目のゲート配線に印加される出力信号を遮断するために、前記第ｍ番目ないし第ｎ番目のシフトレジスタの前記第２スイッチをスイッチングオフさせる段階と、
該当シフトレジスタに印加されるクロック信号を変更するために、前記第(ｍ＋１)番目ないし第(ｎ＋１)番目のシフトレジスタをスイッチングする段階と、
前記第(ｍ＋１)番目ないし第(ｎ＋１)番目のシフトレジスタの出力信号を前記第ｍ番目ないし前記第ｎ番目のゲート配線に印加するために、前記第ｍ番目ないし第ｎ番目のシフトレジスタの前記第３スイッチをスイッチングオンさせる段階とを含み、前記ｎ、ｍ各々は、正の整数であって、ｍは、１より大きくてｎより小さいかあるいは同じであることを特徴とする液晶表示装置用ゲートドライバの修理方法。
【請求項１０】
前記第１番目のシフトレジスタには、スタート信号生成手段からスタート信号が印加されて、前記第(ｎ＋１)番目のシフトレジスタには、リセット信号生成手段からリセット信号が印加されることを特徴とする請求項９に記載の液晶表示装置用ゲートドライバの修理方法。
【発明の詳細な説明】
【技術分野】
【０００１】
本発明は、液晶表示装置用ゲートドライバに係り、多数のシフトレジスタを備えたゲートドライバで一シフトレジスタの不良の時に、これを修理するためであって、特に、スキャン信号の出力特性の偏差を最小化した液晶表示装置用ゲートドライバ及びその修理方法に関する。
【背景技術】
【０００２】
ディスプレイ装置のうち、特に、液晶表示装置は、小型及び薄形化、低電力消耗の長所があって、ノート型パソコン、オフィスオートメーション機器、オーディオ/ビデオ機器などに利用されている。特に、スイッチ素子として薄膜トランジスタ(Thin Film Transistor：以下、ＴＦＴと称する。)が利用されるアクティブマトリックスタイプの液晶表示装置は、動的なイメージの表示に適合である。
【０００３】
図１は、一般的な液晶表示装置の基本構成を示したブロック構成図であって、液晶パネル２とＬＣＭ駆動回路部２６に区分される。
図１に示したように、インタフェース１０には、パーソナルコンピューター等のような駆動システムからＬＣＭ駆動回路部２６に入力されるデータ(RGB Data)及び制御信号(入力クロック、水平同期信号、垂直同期信号、データイネーブル信号など)が入力されてタイミングコントローラー１２に供給する。主に、駆動システムからデータ及び制御信号送信のためにＬＶＤＳ(Low Voltage Differential Signal)インタフェースとＴＴＬインタフェースなどが使用されている。
また、このようなインタフェース機能を集めてタイミングコントローラー１２と共に単一チップで集積させて使用する場合もある。
【０００４】
図２に示したように、液晶パネル２は、ガラスを利用した基板上に多数のデータ配線ＤＬ１〜ＤＬｍと多数のゲート配線ＧＬ１〜ＧＬｎが交差され多数の画素領域を形成して、各々の画素領域には、薄膜トランジスタＴＦＴと液晶ＬＣが構成され画面を表示する。
【０００５】
タイミングコントローラー１２は、インタフェース１０を通じて入力される制御信号を利用して複数のドライブ集積回路で構成されたソースドライバ１８と複数のドライバ集積回路で構成されたゲートドライバ２０を駆動するための制御信号を生成する。また、インタフェース１０を通じて入力されるデータをソースドライバ１８に伝送する。
【０００６】
基準電圧生成部１６は、ソースドライバ１８で使用されるＤＡＣ(Digital To Analog Converter)の基準電圧を生成する。基準電圧は、パネルの透過率‐電圧の特性を基準に生産者によって設定される。
【０００７】
ソースドライバ１８は、タイミングコントローラー１２から入力される制御信号に回答して入力データの基準電圧を選択し、選択された基準電圧を液晶パネル２に供給して液晶分子の回転角度を制御する。
【０００８】
ゲートドライバ２０は、タイミングコントローラー１２から入力される制御信号に回答して液晶パネル２上に配列された薄膜トランジスタＴＦＴのオン/オフ制御を行うが、スキャン信号を出力して液晶パネル２上のゲート配線ＧＬ１〜ＧＬｎを１水平同期時間ずつ順にイネーブルさせることによって、液晶パネル２上の薄膜トランジスタＴＦＴを１配線分ずつ順に駆動させソースドライバ１８から供給されるアナログ映像信号が各薄膜トランジスタＴＦＴに接続されたピクセルに印加されるようにする。
【０００９】
電源電圧生成部１４は、各構成部の動作電源を供給して、液晶パネル２の共通電極電圧を生成して供給する。
また、図面には示してないが、一つ以上のランプを備えて液晶パネル２に光を供給するバックライトユニットをさらに含む。
【００１０】
図３は、従来技術によってｎ個のスキャン信号Ｖｇ１〜Ｖｇｎを出力する多数のシフトレジスタを備えたゲートドライバ２０を示した図である。
【００１１】
第１シフトレジスタないし第ｎシフトレジスタＳＲ１〜ＳＲｎは、各々多数のクロック信号ＣＬＫ１、ＣＬＫ２のうちから選択された一クロック信号に回答して発生された出力(すなわち、Ｖｇ１ないしＶｇｎ)を後段シフトレジスタの動作開始のためのスタート信号Ｖｓｔ及び前段シフトレジスタのリセット信号で供給することによって、図４のような順次タイミングのスキャン信号Ｖｇ１〜Ｖｇｎを出力する。
【００１２】
勿論、図面には示してないが、各シフトレジスタＳＲ１〜ＳＲｎには、その動作に必要なハイレベル駆動電圧ＶＤＤ及びローレベル駆動電圧ＶＳＳが別途に提供されて、最後の段の第ｎシフトレジスタＳＲｎには、別途のリセット信号Ｖｒｓｔが供給される。
【００１３】
また、ゲートドライバ２０は、第１シフトレジスタないし第ｎシフトレジスタＳＲ１〜ＳＲｎのうち、一シフトレジスタの故障または不良に備えて余分の修理用シフトレジスタＳＲ(ｒ)、すなわち、余分のシフトレジスタと多数の修理用配線ＲＬを別途に備えている。
従って、図５のように、ゲートドライバ２０のうち、一シフトレジスタの不良の時に修理用シフトレジスタＳＲ(ｒ)を故障したシフトレジスタの代わりに活用する。
【００１４】
図５に示したように、第２シフトレジスタＳＲ２に不良が発生する場合、第２シフトレジスタＳＲ２の入出力配線をレーザーで断線して、修理用シフトレジスタＳＲ(ｒ)を修理用配線ＲＬとレーザー溶接することによって、第２シフトレジスタＳＲ２に代わって第２スキャン信号Ｖ２を出力する。
【００１５】
ところが、前述したように、修理用シフトレジスタＳＲ(ｒ)を不良のシフトレジスタの代わりにする方法は、図６に示したように、修理用シフトレジスタＳＲ(ｒ)と不良が発生したシフトレジスタ間の離隔距離が遠いほど、入出力配線の負荷増加によって、その出力信号の歪曲がさらに酷くなる短所があるが、これは、液晶パネルの薄膜トランジスタＴＦＴを形成する時、基板の周辺部に多数のシフトレジスタＳＲ１〜ＳＲｎが共に形成されるゲートインパネル(Gate in Panel：ＧＩＰ)方式でさらに重要な問題として指摘される。
【発明の開示】
【発明が解決しようとする課題】
【００１６】
本発明は、前述したような問題を解決するために案出されており、ゲートドライバの修理時に発生するスキャン信号の歪曲現象を改善して、特に、各々のスキャン信号間の出力特性の差を低減させて液晶表示装置での正常な映像表示を実現する。
【課題を解決するための手段】
【００１７】
本発明は、前述したような目的を達成するため、第１番目ないし第ｎ番目のゲート配線と、多数の薄膜トランジスタと多数の液晶画素を含む液晶表示装置でのゲートドライバとして、第１及び第２クロック信号を印加する第１及び第２クロック信号配線と、前記第１番目ないし第ｎ番目のゲート配線に各々対応して、各々には、前記第１及び第２クロック信号のいずれかの一つが入力されて第１番目ないし第ｎ番目のスキャン信号を出力する第１番目ないし第ｎ番目のシフトレジスタと、(ｎ＋１)番目のシフトレジスタとして、前記第１ないし第２クロック信号のいずれかの一つが入力されて修理用スキャン信号を出力する修理用シフトレジスタと、各々が前記第１及び第２クロック信号配線のいずれかの一つと前記第１番目ないし第ｎ番目のシフトレジスタと前記修理用シフトレジスタのいずれかの一つを連結する多数の第１スイッチと、前記第１番目ないし第ｎ番目のシフトレジスタと前記第１番目ないし第ｎ番目のゲート配線の連結をスイッチングする多数の第２スイッチと、前記第２番目ないし第ｎ番目のシフトレジスタ及び前記修理用シフトレジスタと前記第１番目ないし第ｎ番目のゲート配線との連結をスイッチングする多数の第３スイッチとを含み、ｎは、正の整数であることを特徴とする液晶表示装置用ゲートドライバを提供する。
【００１８】
前記修理用シフトレジスタは、前記第１番目ないし第ｎ番目のシフトレジスタと同一な構成である。
【００１９】
前記第１番目ないし第ｎ番目のシフトレジスタは、相互に従属連結されて、前記第ｎ番目のシフトレジスタは、前記修理用シフトレジスタと従属連結される。
【００２０】
前記第２番目ないし第ｎ番目のシフトレジスタと前記修理用シフトレジスタ各々には、スタート信号として、前記第１番目ないし第ｎ番目のスキャン信号が入力されて、前記第１番目ないし第ｎ番目のシフトレジスタ各々には、リセット信号として、前記第２番目ないし第ｎ番目のスキャン信号が入力される。
【００２１】
前記第１番目のシフトレジスタにスタート信号を印加するためのスタート信号生成手段と、前記修理用シフトレジスタにリセット信号を印加するためのリセット信号生成手段をさらに含む。
【００２２】
前記多数の第１スイッチは、メタル‐オキサイド半導体(metaloxide semiconductor)ＭＯＳ回路スイッチである。
【００２３】
前記多数の第２スイッチ及び前記多数の第３スイッチ各々は、薄膜トランジスタスイッチである。
【００２４】
前記各シフトレジスタと前記各スイッチは、前記液晶画素と同一基板上に形成される。
【００２５】
また、本発明は、第１及び第２クロック信号を印加する第１及び第２クロック信号配線と、各々第１番目ないし第ｎ番目のゲート配線に第１番目ないし第ｎ番目のスキャン信号を提供する第１番目ないし第ｎ番目のシフトレジスタと修理用シフトレジスタであって、損傷されたシフトレジスタを修理して修理用修理用ゲート配線に修理用信号を印加する(ｎ＋１)番目のシフトレジスタとしての修理用シフトレジスタと、各々が前記第１及び第２クロック信号配線のいずれかの一つと前記第１番目ないし第ｎ番目のシフトレジスタのクロック信号ターミナルのいずれかの一つを連結する多数の第１スイッチと、各々が前記第１番目ないし第ｎ番目のシフトレジスタの出力配線と前記第１番目ないし第ｎ番目のゲート配線を連結するための多数の第２スイッチと、各々が前記第２番目ないし第(ｎ＋１)番目のフトレジスタの出力配線と前記第１番目ないし第ｎ番目のゲート配線を連結するための多数の第３スイッチと、前記第２番目ないし第(ｎ＋１)番目のシフトレジスタのスタート信号ターミナルと前記第１番目ないし第ｎ番目のシフトレジスタの出力配線を連結するスタート信号配線と前記第１番目ないし第ｎ番目のシフトレジスタのリセットターミナルと前記第２番目ないし第(ｎ＋１)番目のシフトレジスタの出力配線を連結するリセット信号配線とを含む液晶表示装置用ゲートドライバの修理方法として、前記第ｍ番目のシフトレジスタの損傷を検査する段階と、前記第ｍ番目のシフトレジスタに印加される入力クロック信号を遮断するために、前記第ｍ番目のシフトレジスタの前記第１スイッチをスイッチングオフさせる段階と、前記第ｍ番目のシフトレジスタの前記スタート信号配線と前記リセット信号配線を遮断する段階と、前記第ｍ番目ないし第ｎ番目のシフトレジスタで前記第ｍ番目ないし前記第ｎ番目のゲート配線に印加される出力信号を遮断するために、前記第ｍ番目ないし第ｎ番目のシフトレジスタの前記第２スイッチをスイッチングオフさせる段階と、該当シフトレジスタに印加されるクロック信号を変更するために、前記第(ｍ＋１)番目ないし第(ｎ＋１)番目のシフトレジスタをスイッチングする段階と、前記第(ｍ＋１)番目ないし第(ｎ＋１)番目のシフトレジスタの出力信号を前記第ｍ番目ないし前記第ｎ番目のゲート配線に印加するために、前記第ｍ番目ないし第ｎ番目のシフトレジスタの前記第３スイッチをスイッチングオンさせる段階とを含み、前記ｎ、ｍ各々は、正の整数であって、ｍは、１より大きくてｎより小さいかあるいは同じであることを特徴とする液晶表示装置用ゲートドライバの修理方法を提供する。
【００２６】
前記第１番目のシフトレジスタには、スタート信号生成手段からスタート信号が印加されて、前記第(ｎ＋１)番目のシフトレジスタには、リセット信号生成手段からリセット信号が印加される。
【００２７】
以下、添付された図面を参照して本発明を詳しく説明する。
【発明の効果】
【００２８】
本発明は、ゲートドライバの修理以後にも、各々のシフトレジスタ間のスキャン信号の偏差が実質的にないので、高品質の映像が表示されて、また、製品の収率が向上される。
【実施例】
【００２９】
図７は、本発明による液晶表示装置用ゲートドライバを示した図であって、ｎ個のシフトレジスタＳＲ１〜ＳＲｎと余分の修理用シフトレジスタＳＲ(ｒ)を含む。ここで、ｎは、正の整数である。余分の修理用シフトレジスタＳＲ(ｒ)は、(ｎ+１)番目の位置に配列される。
【００３０】
また、各シフトレジスタＳＲ１〜ＳＲｎ、ＳＲ(ｒ)のクロック信号端子ＣＬＫでクロック信号ＣＬＫ１、ＣＬＫ２を供給するための多数のクロック信号配線ＣＬを含んで構成される。
【００３１】
各シフトレジスタＳＲ１〜ＳＲｎは、液晶表示パネルに構成されたｎ個のゲート配線(図示せず)と各々で一対一に対応して多数のスキャン信号Ｖｇ１〜Ｖｇｎを順に出力して、前段のシフトレジスタで出力されるスキャン信号がスタート信号Ｖｓｔとしてスタート信号端子ＳＴＲを通じて入力されて、その後段のシフトレジスタで出力されるスキャン信号がリセットのための信号としてリセット信号端子ＲＳＴを通じて入力される従属連結関係である。この時、修理用シフトレジスタＳＲ(ｒ)には、リセット信号Ｖｒｓｔが別途に提供される。
【００３２】
修理用シフトレジスタＳＲ(ｒ)は、ｎ個のシフトレジスタＳＲ１〜ＳＲｎの最後の段のシフトレジスタＳＲｎに従属連結されて、シフトレジスタと同一な回路構成、すなわち、同一なシフトレジスタで構成する。この時、シフトレジスタＳＲ１〜ＳＲｎ及び修理用シフトレジスタＳＲ(ｒ)に採用されるシフトレジスタの種類には制限がなく、多様なシフトレジスタ回路が使用できる。
【００３３】
さらに、本発明によるゲートドライバは、シフトレジスタＳＲ１〜ＳＲｎ及び修理用シフトレジスタＳＲ(ｒ)の入出力の制御のための多数のスイッチを構成している。
【００３４】
多数のスイッチは、各々シフトレジスタＳＲ１〜ＳＲｎ及び修理用シフトレジスタＳＲ(ｒ)に多数のクロック信号配線ＣＬのいずれかを連結するための多数の第１スイッチＳＷ１‐１、ＳＷ１‐２、...、ＳＷ１‐ｎ、ＳＷ１‐ｒと、各シフトレジスタＳＲ１〜ＳＲｎ及び修理用シフトレジスタＳＲ(ｒ)に対応するゲート配線との連結を制御するための多数の第２スイッチＳＷ２‐１、ＳＷ２‐２、...、ＳＷ２‐ｎ、ＳＷ２‐ｒと、各シフトレジスタＳＲ１〜ＳＲｎ及び修理用シフトレジスタＳＲ(ｒ)とその前段のシフトレジスタに対応するゲート配線との連結を制御するための多数の第３スイッチＳＷ３‐１、ＳＷ３‐２、...、ＳＷ３‐ｎとに区分される。
【００３５】
各々のスイッチは、多様のスイッチ回路またはスイッチ素子を利用して構成されるが、特に、ＧＩＰモデルの場合、望ましくは、液晶キャパシターに連結されるスイッチング用薄膜トランジスタを構成する液晶表示パネルの製造の時にスイッチング用薄膜トランジスタと同時に形成する薄膜トランジスタＴＦＴスイッチである。
【００３６】
また、第１クロック信号ＣＬＫ１及び第２クロック信号ＣＬＫ２の選択入力を行う第１スイッチＳＷ１‐１、ＳＷ１‐２、...、ＳＷ１‐ｎ、ＳＷ１‐ｒの場合、さらに望ましくは、ＭＯＳスイッチ回路で構成する。
【００３７】
以下、前述したような構成の本発明による液晶表示装置用ゲートドライバでの不良の修理方法を、図８を参照して説明する。 
【００３８】
図８は、第２シフトレジスタＳＲ２の不良を修理する方法を説明する例示図である。
図８に示したように、不良と判明されたシフトレジスタ、すなわち、第２シフトレジスタＳＲ２は、その使用が不可能であるので、第２シフトレジスタＳＲ２に連結された入出力配線の連結をオープン状態に転換させる。このために、レーザーなどを利用して断線するが、図面では、Ｘで表示された部分である。
【００３９】
第１‐２スイッチＳＷ１‐２と第２‐２スイッチＳＷ２‐２をオープン状態に転換して第２シフトレジスタＳＲ２での信号の入／出力を遮断する。  
【００４０】
第３シフトレジスタＳＲ３以後の後段のシフトレジスタＳＲ３〜ＳＲｎ及び修理用シフトレジスタＳＲ(ｒ)に対して、これに連結された第１スイッチないし第３スイッチのスイッチングを行うが、第１スイッチＳＷ１‐３ないしＳＷ１‐ｎ、ＳＷ１‐ｒによってクロック信号配線ＣＬの連結変更を行って入力クロック信号を変更し、順に、第２スイッチＳＷ２‐３ないしＳＷ２‐ｎ、ＳＷ２‐ｒのスイッチング状態をオープン状態に転換して、また、第３スイッチＳＷ３‐１ないしＳＷ３‐ｎのスイッチング状態を連結状態に転換する。
【００４１】
この時、各スイッチのスイッチング状態の転換方法は、図面には示してないが、各スイッチにスイッチング制御信号を印加するスイッチング制御信号配線を別途に形成して、また、各スイッチにスイッチング制御信号を提供するスイッチング制御信号生成回路を別途に構成することによって容易に実現される。
【００４２】
前述したように、各スイッチのスイッチング状態の転換によった最終的な連結状態は、第１シフトレジスタＳＲ１は、既存のように、最初のゲート配線に第１スキャン信号Ｖｇ１を提供して、以後、二番目のゲート配線に提供される第２スキャン信号Ｖｇ２は、第３シフトレジスタＳＲ３で提供する形態で回路的連結状態になる。
【００４３】
以後、残ったシフトレジスタＳＲ４ないしＳＲｎも第３シフトレジスタＳＲ３のように、元のゲート配線ではなく、１配線ずつ前段のゲート配線に各々スキャン信号を提供する回路的連結形態になる。勿論、最終のゲート配線には、修理用シフトレジスタＳＲ(ｒ)でｎ番目のスキャン信号Ｖｇｎを提供する。
【００４４】
図９は、本発明によるゲートドライバを利用したスキャン信号出力を示した信号波形図であって、図１０は、図５の従来技術によるゲートドライバの修理以後のスキャン信号(scan‐old)と、本発明によって提供されるゲートドライバの修理以後のスキャン信号(scan‐new)との比較図であり、従来の方法とは異なって、その信号の波形が歪曲されてない。
【００４５】
これは、本発明の方法のように、不良のシフトレジスタ発生に対して修理用シフトレジスタを駆動させて、不良のシフトレジスタ以後のシフトレジスタの出力を一つずつシフトさせてゲート配線に提供する修理方法において、不良が発生したシフトレジスタとこれに代わったシフトレジスタ間の隔離距離が非常に近いため、信号配線による信号減衰が実質的に無視できる程度であって、特に、不良のシフトレジスタ以外の残ったシフトレジスタに対しても同一な信号配線の連結変更を行うため、隣接したシフトレジスタ間のスキャン信号の出力特性の差も殆どないという長所がある。
【図面の簡単な説明】
【００４６】
【図１】一般的な液晶表示装置の基本構成を示したブロック構成図である。
【図２】図１の構成のうち、液晶パネルの構成を簡略に示した図である。
【図３】従来技術によってｎ個のスキャン信号を出力するゲートドライバの構成を示した図である。
【図４】図３のゲートドライバによって出力される順次タイミングのスキャン信号を示した信号タイミング図である。
【図５】従来技術によるゲートドライバの修理方法を説明するための図である。
【図６】従来技術によるゲートドライバの修理によるスキャン信号の出力波形図である。
【図７】本発明による液晶表示装置用ゲートドライバを示した図である。
【図８】本発明による液晶表示装置用ゲートドライバでの不良の修理方法を例示した図である。
【図９】本発明によるゲートドライバを利用したスキャン信号出力を示した信号波形図である。
【図１０】図５の従来技術によるゲートドライバの修理以後のスキャン信号と、本発明によって提供されるゲートドライバの修理以後のスキャン信号の比較図である。
【符号の説明】
【００４７】
ＳＲ１〜ＳＲｎ：第１シフトレジスタ〜第ｎシフトレジスタ
ＳＷ１、ＳＷ２、ＳＷ３：第１スイッチ、第２スイッチ、第３スイッチ
ＣＬ：クロック信号配線
Ｖｓｔ：スタート信号
Ｖｒｓｔ：リセット信号
【図１】
2010015125.tif 000003
【図２】
2010015125.tif 000004
【図３】
2010015125.tif 000005
【図４】
2010015125.tif 000006
【図５】
2010015125.tif 000007
【図６】
2010015125.tif 000008
【図７】
2010015125.tif 000009
【図８】
2010015125.tif 000010
【図９】
2010015125.tif 000011
【図１０】
2010015125.tif 000012